(57)【要約】【課題】ふとんおよび衣類等の小物の乾燥を同一の乾燥袋を用いて別々に効率良く乾燥することのできるふとん乾燥機を提供することを目的とする。【解決手段】接続口３から流入される温風を２方向に分けて反接続口側に設けた吹出口７に導く通風路５を設けた袋状部８をナイロンで形成した乾燥袋１４を設け、乾燥袋１４を折り畳んだ状態で保持する圧着接続テープ１０を備え、通風により膨らんだ通風路５間に形成される凹部を小物乾燥部１９に形成し、ふとんおよび小物の乾燥を同一の乾燥袋１４を使い分けて、効率良く乾燥することのできるふとん乾燥機の乾燥袋が得られる。【選択図】図１
2005058596.tif 000002
【特許請求の範囲】
【請求項１】
ふとん乾燥機本体と接続するために一端に設けられた接続口と、この接続口からの温風を平面シート上で２方向に分けて反接続口側に設けた吹出口に導く通風路と、この通風路を非通風材質で形成した袋状部と、この袋状部を前記接続口側と吹出口側が重合するように折り畳んだ状態で保持される保持手段とを備え、前記通風路を通風により膨らむように設け、前記通風路間に形成される凹部を小物乾燥部に形成したふとん乾燥機の乾燥袋。
【請求項２】
通風路の途中に開閉自在な補助吹出口を設けた請求項１記載のふとん乾燥機の乾燥袋。
【請求項３】
補助吹出口を袋状部の折れ曲がり部に近接して設けた請求項２記載のふとん乾燥機の乾燥袋。
【請求項４】
補助吹出口に通風量調整手段を設けた請求項２記載のふとん乾燥機の乾燥袋。
【請求項５】
袋状部に芳香族ヒドロキシル化合物を具備した抗アレルゲン物質を含浸させた請求項１記載のふとん乾燥機の乾燥袋。
【発明の詳細な説明】
【技術分野】
【０００１】
本発明は、温風を送風してふとんを乾燥する乾燥袋を利用して衣類等の小物の乾燥を行うことのできるふとん乾燥機の乾燥袋に関する。
【背景技術】
【０００２】
従来、この種のふとん乾燥機の乾燥袋の１例としてふとんおよび衣類等の小物を乾燥するエアーマットが知られている（例えば、特許文献１参照）。
【０００３】
以下、そのエアーマットについて、図１０および図１１を参照しながら説明する。
【０００４】
図に示すように、乾燥機１０１に接続される空気取入口１０２と、空気取入口１０２から導入した温風を充満させ、僅かな通気性を持つ袋状のマット本体１０３と、マット本体１０３の内部に乾燥対象物１０４を出し入れするためのファスナー付開口部１０５を設けている。
【０００５】
また、衣類等の小物を乾燥させる衣類乾燥用マットも知られている（例えば、特許文献２参照）。
【０００６】
以下、その衣類乾燥用マットについて図１２および図１３を参照しながら説明する。
【０００７】
図に示すように、温風供給口２０１を設けた柔軟性を有する角形の袋２０２の一辺に袋２０２の一面を覆うカバー２０３を設けるとともに、カバー２０３の先端部にカバー２０３を開閉自在にする係止具２０４を設け、袋２０２の上に小物２０５を置き、カバー２０３で覆い乾燥していた。
【特許文献１】登録実用新案第３０２２６８９号公報（第４〜５頁、図１、図２）
【特許文献２】特開平４−３５６９３号公報（［実施例］第１図〜第３図）
【発明の開示】
【発明が解決しようとする課題】
【０００８】
このような従来のエアーマットでは、大きなふとんの乾燥も、小さな下着類等の小物の乾燥も同一の状態で乾燥するものであり、乾燥効率が悪いという課題があり、乾燥効率を高めることが要求されている。
【０００９】
また、ふとんや小物をファスナー付き開口部１０５より出し入れする作業は困難で手間がかかるという課題があり、ふとんや小物の乾燥時の作業に手間がかからないようにすることが要求されている。
【００１０】
また、衣類乾燥用マットは、単に衣類等の小物のみを乾燥させるものであって、ふとんの乾燥には適用できないという課題があり、一つの乾燥袋を使用してふとんおよび小物の乾燥を行えるようにすることが要求されている。
【００１１】
本発明は、このような従来の課題を解決するものであり、ふとんおよび衣類等の小物を効率良く乾燥することができ、ふとんと小物の乾燥の使い分けおよび乾燥作業の容易なふとん乾燥機の乾燥袋を提供することを目的としている。
【課題を解決するための手段】
【００１２】
本発明のふとん乾燥機の乾燥袋は、ふとん乾燥機本体に接続される接続口からの温風を平面シート上で２方向に分けて反接続口側に設けた吹出口に導く通風路を形成したふとん乾燥用の袋状部を折り畳み、通風により膨らむ通風路間に形成される凹部を小物乾燥部に形成したものである。
【００１３】
この手段により、ふとん乾燥用の袋状部を折り畳むだけで小物の乾燥用とすることができ、ふとんと小物の乾燥に適した状態で効率良く乾燥することができるとともに、凹状部の小物乾燥部が形成されることにより、小物の乾燥時の出し入れ作業を容易に行うことができる。
【００１４】
また、通風路の途中に開閉自在な補助吹出口を設けたものである。この手段により、少なくとも２方向から小物乾燥部にある小物に温風を供給することができ、乾燥効率を向上することができる。
【００１５】
また、補助吹出口を袋状部の折れ曲がり部に近接して設けたものである。
【００１６】
この手段により補助吹出口が、吹出口から離れた位置に設けられることとともに、熱損失の大きなシート面に吹き出すことができ熱損失が緩和される。
【００１７】
また、補助吹出口に通風量調節手段を設けたものである。
【００１８】
この手段により、温風の比率や通風路の膨らみの具合を調節して小物の乾燥しやすい状態で運転することができる。
【００１９】
また、袋状部に芳香族ヒドロキシル化合物を具備した抗アレルゲン物質を合浸させたものである。
【００２０】
この手段により、ふとんや衣類等の小物に付着している花粉やダニのふん等によるアレルゲンを低減することができる。
【発明の効果】
【００２１】
本発明によれば、一つの乾燥袋を利用してふとんおよび衣類等の小物をそれぞれ効率良く乾燥することができ、さらに小物類の出し入れの手間を省いた使い易いふとん乾燥機の乾燥袋を提供できる。
【００２２】
また、開閉自在の補助吹出口を設けたことにより、凹状部の小物乾燥部に複数の吹出口から温風を供給して乾燥効率を向上することができる。
【００２３】
また、補助吹出口を袋状部の折れ曲がり部に近接したことにより、吹出口と補助吹出口の位置を離して小物乾燥を効率良く行ない、放熱しやすい平面シートの折れ曲がり部の熱ロスを少なくして、小物乾燥の乾燥効率低下を防ぐことができる。
【００２４】
また、補助吹出口の通風量を調整可能にしたことにより、吹出口と補助吹出口の温風比率や通風路の膨らみ度を調整して、乾燥する小物の大きさ、形状、材質などに合わせて乾燥条件を変えることができる。
【００２５】
また、衣類等の小物に付着している花粉やダニのふん等によるアレルゲンを低減して抗アレルギー特性を発揮することができる。
【発明を実施するための最良の形態】
【００２６】
本発明の請求項１記載の発明は、ふとん乾燥機本体と接続するために一端に設けられた接続口と、この接続口からの温風を平面シート上で２方向に分けて反接続口側に設けた吹出口に導く通風路と、この通風路を非通風材質で形成した袋状部と、この袋状部を前記接続口側と吹出口側が重合するように折り畳んだ状態で保持される保持手段とを備え、前記通風路を通風により膨らむように設け、前記通風路間に形成される凹部を小物乾燥部に形成したものであり、一つの乾燥袋がふとんの乾燥用または衣類等の小物の乾燥用に変換することができ、被乾燥物の大きさに対応して乾燥することが可能となり乾燥効率が向上するという作用を有する。
【００２７】
また、請求項２記載の発明は、通風路の途中に開閉自在な補助吹出口を設けたものであり、小物乾燥部に置かれた小物に対し、吹出口から送風される温風に加え、補助吹出口を開放して温風を送風することができ、衣類等の小物の乾燥を効率良くできるという作用を有する。
【００２８】
また、請求項３記載の発明は、補助吹出口を袋状部の折れ曲がり部に近接して設けたものであり、小物を乾燥するために折り畳んだ袋状部は、吹出口が接続口側に移動するが、折れ曲がり部に近接して補助吹出口が設けられることにより、吹出口から離れた位置に補助吹出口が位置することになり、小物に効率良く温風を送風することができるとともに、補助吹出口からの温風を折れ曲がり部のシート面付近に吹き出すことができ、熱損失が緩和される作用を有する。
【００２９】
また、請求項４記載の発明は、補助吹出口に通風量調整手段を設けたものであり、小物に対する温風の通風量を調整して小物に対する温風の送風比率や通風路の膨らみ具合を調整でき、小物の乾燥しやすい条件に合わせることができるという作用を有する。
【００３０】
また、請求項５記載の発明は、袋状部を芳香族ヒドロキシル化合物を具備した抗アレルゲン物質を含浸させたものであり、ふとんや衣類等に付着している花粉やダニの死骸やふん等によるアレルゲンを低減して抗アレルギー特性を発揮できる作用を有する。
【００３１】
以下、本発明の実施の形態について図面を参照しながら説明する。
【００３２】
（実施の形態１）
図１〜図８に示すように、ふとん乾燥機本体１に設けた温風供給用のホース２に接続される接続口３を有した連通路６の左右側へと温風が通ることにより膨らむ通風路５を平面シート４上に設け、平面シート４他端の反接続口側には通風路５と連通し平面シート４面に向かい温風を吹き出す吹出口７を設けた略口字形状の袋状部８をナイロン等の非通風材質で形成する。袋状部８に接続口３側と吹出口７側が重合するように折り畳んだときに、折り畳んだ状態が保持されるように保持手段として圧着接続テープ１０を設け、折り畳まれた袋状部８の折れ曲がり部１１に近接して、通風路５に補助吹出口１２を少なくとも１つ形成し、補助吹出口１２から平面シート４の内側に吹き出すように設ける。補助吹出口１２には、補助吹出口１２を開閉するファスナー１３を設け、乾燥袋１４を構成する。
【００３３】
上記構成において、ふとんを乾燥するときには、敷ふとん１５の上に吹出口７を敷ふとん１５側に開口させた袋状部８により形成された乾燥袋１４を広げ、その上に掛ふとん１６を掛けて、ふとん乾燥機本体１を運転すると、ホース２を介して乾燥袋１４の接続口３より流入した温風は、連通路６を通り２方向に設けた通風路５に送られ、反接続口側に設けた吹出口７より敷ふとん１５側に向けて送風される。このとき、温風の通路となる部分は膨らみ表面積が大きくなり、乾燥面積が増大するとともに、乾燥袋１４の中央部の膨らみの無い平面シート４部分に吹出口７からの温風が吹き出され敷ふとん１５が乾燥されるとともに、掛ふとん１６は主に乾燥袋１４から伝達熱を受けて乾燥される。
【００３４】
次に衣類等の小物１７を乾燥するときには、吹出口７が内側となるように、乾燥袋１４を接続口３側と吹出口７側が重合するように中央で折り畳むことにより、乾燥袋１４の形態を変更することで小物乾燥が可能となる。
【００３５】
手順を追って説明すると、まず広げた乾燥袋１４の通風路５と連通路６で囲まれた平面シート４部分に乾燥すべき小物１７を置き、乾燥袋１４を中央で折り曲げて重ねると、圧着接続テープ１０により接合され折り畳まれた状態が保持できる。
【００３６】
また、ハンドタオル等の薄手の小物１８などを追加して乾燥したいときには、折り畳まれた乾燥袋１４の上面に小物１８を並べておくようにしてもよい。
【００３７】
この状態でふとん乾燥機本体１を運転すると、温風が乾燥袋１４の接続口３より流入し、連通路６と通風路５および吹出口７部分が膨らみ、小物１７の置かれた平面シート４面が凹み小物乾燥部１９が形成され、吹出口７から吹出された温風が小物１７に接触して小物１７を乾燥するとともに、表面積が大きくなるように膨らんだ通風路５と連通路６および吹出口７部分からの熱を受けて小物１７，１８が効率良く乾燥される。
【００３８】
小物１７を取り出すときは圧着接続テープ１０を外して乾燥袋１４を広げることにより、簡単に取り出すことができる。
【００３９】
また、通風路６の途中に設けられる補助吹出口１２をファスナー１３により開閉自在に設けたことにより、小物乾燥部１９に設けた小物１７に対し、吹出口７から吹き出される温風に加え、補助吹出口１２からも温風を送風することができ、小物１７の乾燥効率を向上することができる。
【００４０】
また、補助吹出口１２を乾燥袋１４を形成する袋状部８の折れ曲げ部１１に近接した位置に設けたことにより、補助吹出口１２が吹出口７から離れた位置に設けられることとなり、小物１７に対し、少なくとも２方向から直接温風を送風して乾燥効率を向上することができるとともに、補助吹出口１２から吹き出される温風が平面シート４の折れ曲げ部分に沿って送風されることにより、平面シート４からの熱損失を低減することができる。
【００４１】
また、補助吹出口１２を形成するのに、開閉度の調整可能なファスナー１３を設けていることにより、ファスナー１３の開閉調整により、補助吹出口１２の開口面積が調整されることとなり、小物１７に送風される温風の比率を可変することができるとともに、連通路６および通風路５等の膨らみ状態を調整することができ、小物１７の大きさや、乾燥量に適した形状に調整することができる。
【００４２】
また小物乾燥部１９には衣類等の小物を入れるようにしたが、枕や座布団のような嵩張るものを入れてもよい。
【００４３】
なお、実施の形態１では、ふとんはシングルサイズのものを用いて説明したが、ダブルサイズの敷ふとん１５Ａと掛ふとん１６Ａにも適用できるように通風路５の外側にシート延長部２０を設け、図８に示す状態で乾燥できるようにしている。
【００４４】
（実施の形態２）
図９に示すように平面シート４Ａ、袋状部８Ａおよびシート延長部２０Ａを芳香族ヒドロキシル化合物を具備した抗アレルゲン物質を含浸させて乾燥袋１４Ａを構成する。
【００４５】
上記構成において、ふとん乾燥時に敷ふとん（図示せず）と掛ふとん（図示せず）の間に乾燥袋１４Ａを介在させて乾燥したときには、乾燥袋１４Ａに含浸した芳香族ヒドロキシル化合物を具備した抗アレルゲン物質の作用により敷ふとんおよび掛ふとんに付着していた花粉およびダニの死骸やふんによるアレルギー活性が不活化されることになる。
【００４６】
また、小物１９Ａを乾燥するときにおいても、乾燥袋１４Ａの小物乾燥部１９Ａに置かれた小物（図示せず）が折り畳んだ乾燥袋１４Ａにより包まれることにより、小物に付着していた花粉およびダニの死骸やふんによるアレルギー活性が不活化されることとなる。
【産業上の利用可能性】
【００４７】
乾燥袋を折り畳み形成した小物乾燥部に乾燥した下着を入れて温風を供給することにより、冬の寒い朝の着替え時にお年寄りや病人および幼児のはだ着を温めておくことができ、下着類の加温用途にも適用できる。
【図面の簡単な説明】
【００４８】
【図１】本発明の実施の形態１の乾燥袋の展開斜視図
【図２】同ふとん乾燥機本体と接続された状態を示す斜視図
【図３】同乾燥袋の膨らみ状態を示す斜視図
【図４】同ふとん乾燥時の状態を示す断面図
【図５】同小物乾燥するときに折り曲げる過程を示す斜視図
【図６】同小物乾燥運転時の状態を示す横断面図
【図７】同縦断面図
【図８】同ダブルサイズのふとんを乾燥している状態を示す断面図
【図９】本発明の実施の形態２の乾燥袋の膨らんだ状態を示す斜視図
【図１０】従来のエアーマットの斜視図
【図１１】同エアーマットの側断面図
【図１２】従来の他の例の衣類乾燥用マットの斜視図
【図１３】同衣類乾燥用マットの使用時を示す斜視図
【符号の説明】
【００４９】
１      ふとん乾燥機本体
２      接続口
４      平面シート
４Ａ    平面シート
５      通風路
７      吹出口
８      袋状部
８Ａ    袋状部
１０    圧着接続テープ（保持手段）
１１    折れ曲がり部
１２    補助吹出口
１３    ファスナー（通風量調整手段）
１４    乾燥袋
１４Ａ  乾燥袋
１９    小物乾燥部
１９Ａ  小物乾燥部
【図１】
2005058596.tif 000003
【図２】
2005058596.tif 000004
【図３】
2005058596.tif 000005
【図４】
2005058596.tif 000006
【図５】
2005058596.tif 000007
【図６】
2005058596.tif 000008
【図７】
2005058596.tif 000009
【図８】
2005058596.tif 000010
【図９】
2005058596.tif 000011
【図１０】
2005058596.tif 000012
【図１１】
2005058596.tif 000013
【図１２】
2005058596.tif 000014
【図１３】
2005058596.tif 000015